(57)【要約】      （修正有）【課題】脱帽時に、額部分に編組の痕跡をとどめず、伸縮フィット性を発揮でき、且つ爽快機能と快適機能を複合して発揮し、さらに抗菌・防菌性や防臭性の付与に対応して菌やカビの増殖や悪臭の発生を抑制する機能をも発揮できる裏編地を備えたニット帽子を提供する。【解決手段】ニット帽子１の帽体形に編組された裏編地３は、蓄熱保温性または吸水速乾性を有する機能糸と、極細の伸縮性を有する芯糸に太い樹脂糸による無撚りのランダムな輪奈を形成したブークレ糸との合わせ編み込みによって構成され、着用者頭部の額を含む下層域に弾性密接する下層ゾーン３０と、抗菌・防菌性、防臭性および吸汗性が付与された少なくとも２つの編み糸の同時給糸による編組によって構成され、下層ゾーン３０の上位に連続して編み上げられ、着用者頭部の中層域に弾性密接する中層ゾーン３１、着用者頭部の頭頂部を含む上層域を覆う上層ゾーン３２とを備える。【選択図】図１
0003181281.tif 000002
【実用新案登録請求の範囲】
【請求項１】
表編地とその内側に配設される裏編地とを備えた二重構造のニット帽子であって、
デザイン性を重視して帽体形に編組された表編地と、
蓄熱保温性または吸水速乾性を有する機能糸と、極細の伸縮性を有する芯糸に太い樹脂糸による無撚りのランダムな輪奈を形成したブークレ糸との合わせ編み込みによって構成されて、着用者頭部の額を含む下層域に弾性密接する下層ゾーンと、
抗菌・防菌性、防臭性および吸汗性が付与された少なくとも２つの編み糸の同時給糸による編組によって構成され、前記下層ゾーンの上位に連続して少なくとも着用者頭部の頭頂部近傍まで編み上げられて、着用者頭部の中層域に弾性密接する中層ゾーンと、
着用者頭部の頭頂部を含む上層域を覆う上層ゾーンと、
を有して帽体形に編組された裏編地と、を備え、
前記下層ゾーンを構成する一方の機能糸は表編地に指向し、他方のブークレ糸は着用者頭部の額を含む下層域に指向していることを特徴とするニット帽子。
【請求項２】
請求項１に記載のニット帽子において、
前記機能糸は、炭素系無機物質を練り込んだ繊維を綿で混紡撚糸より構成された蓄熱保温糸でなるニット帽子。
【請求項３】
請求項１に記載のニット帽子において、
前記機能糸は、吸汗速乾性と気化熱による冷却性に優れた吸水速乾糸より構成されたニット帽子。
【請求項４】
請求項１乃至３のいずれか１項に記載のニット帽子において、
前記少なくとも２つの編み糸の一方の編み糸は、銀を練り込んだ樹脂繊維と綿との混紡糸からなる銀イオン糸によって構成され、前記少なくとも２つの編み糸の他方の編み糸は、乾式樹脂糸と長綿との混紡糸によって構成されたニット帽子。
【考案の詳細な説明】
【技術分野】
【０００１】
本考案はニット帽子に係り、特に、ウインターシーズン時のスポーツとしてスキーやスノーボードなどの実行時の着用に好適なニット帽子に関する。
【背景技術】
【０００２】
従来より、ウインターシーズン時のスポーツとしてスキーやスノーボードなどの実行時の着用に好適なニット帽子として様々なものが提供されており、その構造は、帽体形の表編地と帽体形の裏編地との二重構造のものが一般的である。そして、帽体形の表編地は、デザイン性を重視して編組され、帽体形の裏編地は、機能性を重視して編組されている。
【０００３】
表編地は、たとえば、防縮加工糸、撥水加工糸、紫外線カット加工糸などを用いたニットにジャカード柄や天竺柄などの組織柄をあしらうことで優れたデザイン性を表現する。一方、裏編地には、たとえば、フィット性、保温性、クッション性、通気性、吸汗・速乾性、抗菌・防菌性、防臭性などの裏編地固有の特性を付与し、裏編地は、これら付与された固有の特性に対応して確保される様々な機能を発揮する。
【０００４】
ところで、この種のニット帽子における裏編地には、前記スポーツ実行時における自然発生的なニット帽子の脱落を防止し得る伸縮機能を発揮させることが要求される。この脱落防止機能は、裏編地に前記固有の特性における伸縮フィット性を付与することによって発揮できる。このため、従来のこの種のニット帽子では、裏編地をゴム編みや片袋編みなどのニットで構成して、着用者の頭部に強くフィットする伸縮フィット性を付与することで脱落防止機能を発揮している。
【先行技術文献】
【特許文献】
【０００５】
【特許文献１】特に無し
【考案の概要】
【考案が解決しようとする課題】
【０００６】
ところが、ゴム編みや片袋編みなどのニットで構成された裏編地では、脱落防止機能を有効に発揮してスポーツ実行時における自然発生的な脱落を確実に防止できる反面、脱帽時、額部分にゴム編みや片袋編みなどのニットの痕跡をとどめる欠点がある。そこで、裏編地における少なくとも着用者頭部の額を含む下層域に弾性密接する下層ゾーンに、極細のアクリル糸やポリエステル糸の編組体からなるフリースを縫着して、脱帽時、額部分にゴム編みや片袋編みなどのニットの痕跡がとどまるのを回避する技術が提案されている。しかし、フリースは、伸縮性に劣るのでゴム編みや片袋編みなどのニットの特性であるフィット性が損なわれるとともに、通気性や吸汗・速乾性に劣ることにより、汗がべとついて爽快感および快適性が殺がれるばかりか、着用者頭部の額を含む下層域に縫着部位が弾性密接することで、ごろつき感を覚えるなどの欠点を有する。
【０００７】
本考案は、このような実情に鑑みてなされたものであって、脱帽時に、額部分に編組の痕跡をとどめず、しかも汗のべとつきを無くす爽快機能と快適機能を複合して発揮し、さらに、抗菌・防菌性や防臭性の付与に対応して菌やカビの増殖や悪臭の発生を抑制する機能をも発揮できる裏編地を備えたニット帽子の提供を目的とするものである。
【課題を解決するための手段】
【０００８】
前記目的を達成するために、本考案に係るニット帽子は、表編地とその内側に配設される裏編地とを備えた二重構造のニット帽子であって、
デザイン性を重視して帽体形に編組された表編地と、
蓄熱保温性または吸水速乾性を有する機能糸と、極細の伸縮性を有する芯糸に太い樹脂糸による無撚りのランダムな輪奈を形成したブークレ糸と、の合わせ編み込みによって構成される、着用者頭部の額を含む下層域に弾性密接する下層ゾーンと、
抗菌・防菌性、防臭性および吸汗性が付与された少なくとも２つの編み糸の同時給糸による編組によって構成され、前記下層ゾーンの上位に連続して少なくとも着用者頭部の頭頂部近傍まで編み上げられて、着用者頭部の中層域に弾性密接する中層ゾーンと、
着用者頭部の頭頂部を含む上層域を覆う上層ゾーンと、
を有して帽体形に編組された裏編地と、を備え、
前記下層ゾーンを構成する一方の機能糸は表編地に指向し、他方のブークレ糸は着用者頭部の額を含む下層域に指向してなることを特徴としている。
【０００９】
前記構成のニット帽子の帽体形の表編地は、防縮加工糸、撥水加工糸、紫外線カット加工糸などを用いたニットにジャカード柄や天竺柄などの組織柄をあしらうことが容易であることにより、優れたデザイン性を表現できるとともに、撥水性と適度な通気性の確保が可能となる。
【００１０】
前記下層ゾーンは、蓄熱保温性または吸水速乾性を有する機能糸と、極細の伸縮性を有する芯糸に太い樹脂糸により無撚りのランダムな輪奈を形成した嵩高・フワフワの柔らか性を有するブークレ糸との合わせ編み込みによって構成されているので、既に機能糸とブークレ糸との両者に付与されている前記の特性同士の相乗作用、つまり、機能糸に付与されている蓄熱保温性または吸水速乾性とブークレ糸に付与されている伸縮・保温性および嵩高・フワフワの柔らか性との相乗作用により、新たにフィット性、通気性、柔らかなクッション性どの特性が付与される。また、ブークレ糸は、その形状から空気の含有率が高く大きいボリュームを有していることにより、高い保温性および高いクッション性を有している。
【００１１】
また、フィット性が付与された下層ゾーンは、スポーツ実行時における自然発生的なニット帽子の脱落を確実に防止する脱落防止機能を発揮するとともに、合わせ編み込みされて下層ゾーンを構成する一方の機能糸は表編地に指向し、他方のブークレ糸は着用者頭部の額を含む下層域に指向していることにより、ニット帽子の着用時には、嵩高・フワフワの柔らか性と高いクッション性を付与されているブークレ糸が着用者の額部分に弾性密接することになり、脱帽時、着用者の額部分に編組の痕跡がとどまるのを回避する痕跡回避機能を大幅に高めて発揮し、また、通気性などが付与されることで、汗のべとつきを無くす爽快機能と快適機能を複合して発揮することが可能となる。
【００１２】
前記中層ゾーンは、抗菌・防菌性、防臭性および吸汗性が付与された少なくとも２つの編み糸の同時給糸による編組によって構成されているので、抗菌・防菌機能と防臭機能を発揮するとともに、汗のべとつきを無くす爽快機能と快適機能を複合して発揮することが可能となる。
【００１３】
本考案に係るニット帽子の機能糸が、炭素系無機物質を練り込んだ繊維を綿で混紡撚糸より構成された蓄熱保温糸で構成してなる。
これによると、ニット帽子に蓄熱保温性が付与されて高い蓄熱保温性効果を発揮でき、爽快機能と快適機能を発揮させることが可能となる。
【００１４】
本考案に係るニット帽子の機能糸が、吸汗速乾性と気化熱による冷却性に優れた吸水速乾糸で構成してなる。
これによるとニット帽子に、高い吸水性や速乾性を付与されることで、気化熱による冷却効果を発揮でき、爽快機能と快適機能を発揮させることが可能となる。
【００１５】
本考案に係るニット帽子の中層ゾーンを構成する抗菌・防菌性、防臭性および吸汗性が付与された少なくとも２つの編み糸の一方の編み糸は、銀を練り込んだ樹脂繊維と綿との混紡糸からなる銀イオン糸によって構成され、少なくとも２つの編み糸の他方の編み糸は、乾式樹脂糸と長綿との混紡糸によって構成されてなる。
【００１６】
これによると、少なくとも２つの編み糸の一方の編み糸と編み糸の他方の編み糸の双方に、高い抗菌・防菌性、高い防臭性および高い吸汗性を含む特性を付与できるので、中層ゾーンに高い抗菌・防菌機能と高い防臭機能を発揮させることが可能となる。
【考案の効果】
【００１７】
本考案によれば、脱帽時に、額部分に編組の痕跡をとどめず、しかも汗のべとつきを無くす爽快機能と快適機能を複合して発揮し、さらに、抗菌・防菌性や防臭性の付与に対応して菌やカビの増殖や悪臭の発生を抑制する機能をも発揮できる裏編地を備えたニット帽子を提供できる。
【図面の簡単な説明】
【００１８】
【図１】本考案に係るニット帽子の一実施形態を示す半截断面図である。
【図２】本考案に係るニット帽子の一実施形態を示す底面図である。
【図３】ブークレ糸の一実施形態を模式的に示す構造説明図である。
【図４】本考案に係るニット帽子の着用状態を示す概略側面図である。
【考案を実施するための形態】
【実施例】
【００１９】
図１は本考案に係るニット帽子の一実施形態を示す半截断面図、図２は本考案に係るニット帽子の一実施形態を示す底面図、図３はブークレ糸の一実施形態を模式的に示す構造説明図、図４は本考案に係るニット帽子の着用状態を示す概略側面図である。
【００２０】
図１および図２において、ニット帽子１は、帽体形に編組された表編地２とその内側に配設される帽体形に編組された裏編地３とを備え、表編地２と裏編地３とがそれぞれの下端縁部２ａ，３ａを無段状に折り返し連続させて編み上げた二重構造のものである。
【００２１】
表編地２は、防縮加工糸、撥水加工糸、紫外線カット加工糸などの編み糸を用いたニットに，図示していないジャカード柄や天竺柄などの組織柄をあしらうことで、従来の表編地と同様に優れたデザイン性を重視して帽体形に編組されている。
【００２２】
図１，図２，図４において、裏編地３は、ニット帽子１の着用時に着用者頭部４の額５を含む下層域６に弾性密接する下層ゾーン３０と、着用者頭部４の側頭部７を含む中層域８に弾性密接する中層ゾーン３１と、着用者頭部４の頭頂部９を含む上層域１０を覆って弾性密接する上層ゾーン３２とを備える。
【００２３】
裏編地３の下層ゾーン３０は、蓄熱保温性または吸水速乾性を有する機能糸３０Ａと、極細の伸縮性を有する芯糸３０Ｂ１に太い樹脂糸３０Ｂ２による無撚りのランダムな輪奈Ｌを形成したブークレ糸３０Ｂとの合わせ編み込みによって構成されている。
この実施形態においては、機能糸を蓄熱保温性を有する蓄熱糸３０Ａを使用し、この蓄熱保温性を有する蓄熱糸３０Ａは、炭素系無機物質を練り込んだ繊維を綿で混紡撚糸して構成されている。
また、上記ブークレ糸３０Ｂは、図３に示すように、ポリウレタン入りナイロン糸である伸縮性を有する極細の芯糸３０Ｂ１と無撚りのランダムな輪奈Ｌを形成する太いアクリル糸３０Ｂ２と、この太いアクリル糸３０Ｂ２を芯糸３０Ｂ１に止留するナイロンフィラメント糸よりなる押糸３０Ｂ３の紡績により、芯糸３０Ｂ１に、太いアクリル糸３０Ｂ２でランダムな輪奈Ｌを形成して構成されている。
そして、図１に示すように、合わせ編み込みされて下層ゾーン３０を構成する一方の蓄熱糸３０Ａは外側つまり表編地２に指向し、他方のブークレ糸３０Ｂは内側つまり着用者頭部４（図４参照）の額５を含む下層域６に指向している。
【００２４】
図１，図２において、裏編地３の中層ゾーン３１は、抗菌・防菌性、防臭性および吸汗性を含む特性が付与された２つの編み糸の同時給糸による編組によって構成され、下層ゾーン３０の上位に連続して着用者頭部４（図４参照）の頭頂部９近傍まで編み上げられており、ニット帽子１の着用時に着用者頭部４の中層域８に弾性密接する。そして、前記２つの編み糸における一方の編み糸は、銀を練り込んだ樹脂繊維と綿との混紡糸からなる銀イオン糸によって構成され、他方の編み糸は、乾式樹脂糸と長綿との混紡糸、たとえば、乾式アクリル綿混紡糸によって構成されている。
【００２５】
裏編地３の中層ゾーン３１の上位に連続して、着用者頭部４の頭頂部９を含む上層域１０を覆って弾性密接する上層ゾーン３２が編み上げられている。この上層ゾーン３２は、表編地２のような防縮加工糸、撥水加工糸、紫外線カット加工糸などの編み糸を用いたニットによって構成されている。なお、上層ゾーン３２は、中層ゾーン３１と同様に、抗菌・防菌性、防臭性および吸汗性を含む特性が付与された２つの編み糸の同時給糸による編組によって構成してもよい。
【００２６】
前記構成のニット帽子１の帽体形の表編地２は、防縮加工糸、撥水加工糸、紫外線カット加工糸などを用いたニットにジャカード柄や天竺柄などの組織柄があしらわれているので、優れたデザイン性を表現できるとともに、撥水性と適度な通気性を確保することができる。
【００２７】
前記構成のニット帽子１の帽体形の裏編地３における下層ゾーン３０は、蓄熱保温性を有する蓄熱糸３０Ａと、極細の伸縮性を有する芯糸３０Ｂ１に、太いアクリル糸３０Ｂ２でランダムな輪奈Ｌを形成した嵩高・フワフワの柔らか性を有するブークレ糸３０Ｂとの合わせ編み込みによって構成されているので、既に蓄熱糸３０Ａとブークレ糸３０Ｂとの両者に付与されている前記の特性同士の相乗作用、つまり、蓄熱糸３０Ａに付与されている蓄熱保温性とブークレ糸３０Ｂに付与されている伸縮・保温性および嵩高・フワフワの柔らか性との相乗作用により、新たにフィット性、通気性、柔らかなクッション性どの特性が付与される。特に、蓄熱糸３０Ａが炭素系無機物質を練り込んだ繊維を綿で混紡撚糸して構成され、ブークレ糸３０Ｂがポリウレタン入りナイロン糸である伸縮性を有する極細の芯糸３０Ｂ１と無撚りのランダムな輪奈Ｌを形成する太いアクリル糸３０Ｂ２と、この太いアクリル糸３０Ｂ２を芯糸３０Ｂ１に止留するナイロンフィラメント糸よりなる押糸３０Ｂ３の紡績により、芯糸３０Ｂ１に、太いアクリル糸３０Ｂ２でランダムな輪奈Ｌを形成して構成されていることで、蓄熱糸３０Ａには高い蓄熱保温性が付与され、ブークレ糸３０Ｂには、その形状から空気の含有率が高く大きいボリュームを有していることにより、高い保温性および高いクッション性が付与されることになる。このため、高い特性同士の相乗作用により、下層ゾーン３０に高いフィット性、高い通気性、高い嵩高・柔らか性などの特性が新たに付与されて、下層ゾーン３０は、高い脱落防止機能、高い痕跡回避機能および高い爽快機能と高い快適機能を複合して発揮することになる。
【００２８】
高いフィット性が付与された下層ゾーン３０は、スポーツ実行時における自然発生的なニット帽子１の脱落を確実に防止する脱落防止機能を発揮するとともに、高いクッション性が付与されていることにより、脱帽時、着用者の額部分に編組の痕跡がとどまるのを回避する痕跡回避機能を発揮できるばかりか、高い通気性などが付与されることで、汗のべとつきを無くす爽快機能と快適機能を複合して発揮することができる。
特に、合わせ編み込みされて下層ゾーン３０を構成する一方の蓄熱糸３０Ａは表編地２に指向し、他方のブークレ糸３０Ｂは着用者頭部４の額５を含む下層域６に指向しているので、ニット帽子１の着用時には、高いクッション性を付与されているブークレ糸３０Ｂが着用者の額５部分に弾性密接することになるので、脱帽時、着用者の額５部分に編組の痕跡がとどまるのを回避する痕跡回避機能を大幅に高めて発揮することが可能となる。
【００２９】
前記実施形態において機能糸を蓄熱保温性を有する蓄熱糸３０Ａとしているが、この機能糸を吸汗速乾性と気化熱による冷却性に優れた吸水速乾糸とする場合、蓄熱糸３０Ａと同様に高いフィット性が付与された下層ゾーン３０は、スポーツ実行時における自然発生的なニット帽子１の脱落を確実に防止する脱落防止機能を発揮するとともに、高いクッション性が付与され、脱帽時、着用者の額部分に編組の痕跡がとどまるのを回避する痕跡回避機能を発揮できると共に、高い吸水性や速乾性を付与されることで、気化熱による冷却効果を発揮でき、爽快機能と快適機能を複合して発揮することができる。
【００３０】
前記構成のニット帽子１の帽体形の裏編地３における中層ゾーン３１は、抗菌・防菌性、防臭性および吸汗性を含む特性が付与された２つの編み糸の同時給糸による編組によって構成されているので、抗菌・防菌機能と防臭機能を発揮するとともに、汗のべとつきを無くす爽快機能と快適機能を複合して発揮することができる。前記２つの編み糸における一方の編み糸を、銀を練り込んだ樹脂繊維と綿との混紡糸からなる銀イオン糸によって構成し、他方の編み糸を、乾式樹脂糸と長綿との混紡糸によって構成しているので、２つの編み糸には、それぞれ高い抗菌・防菌性、高い防臭性および高い吸汗性を含む特性が付与されることになる。このため、中層ゾーン３１に高い抗菌・防菌機能と高い防臭機能を発揮させるとともに、汗のべとつきを無くす高い爽快機能と高い快適機能を複合して発揮させることができる。
【産業上の利用可能性】
【００３１】
本考案のニット帽子は、ウインターシーズン時のスポーツとしてスキーやスノーボードなどの実行時の着用に有用である。
【符号の説明】
【００３２】
１  ニット帽子
２  表編地
２ａ  表編地の下端縁部
３  裏編地
３ａ  裏編地の下端縁部
４  着用者頭部
５  額
６  下層域
８  中層域
９  頭頂部
１０  上層域
３０  下層ゾーン
３０Ａ  機能糸（蓄熱糸）
３０Ｂ  ブークレ糸
３０Ｂ１  芯糸
３０Ｂ２  太い樹脂糸
３１    中層ゾーン
３２    上層ゾーン
【図１】
0003181281.tif 000003
【図２】
0003181281.tif 000004
【図３】
0003181281.tif 000005
【図４】
0003181281.tif 000006